(57)【要約】【課題】  運動の際に着用者の膝関節又は肘関節を保護する。【解決手段】  人体に着用される衣料であって、前記衣料が前記人体に着用された際に、前記人体の膝蓋骨又は肘頭に対応する位置に位置し、緊締力を付与する第１部分と、前記衣料が前記人体に着用された際に、前記人体の膝蓋骨又は肘頭に対応する位置の周囲に位置し、前記第１部分よりも大きい緊締力を付与する第２部分と、を備える。【選択図】  図１
2010275644.tif 000002
【特許請求の範囲】
【請求項１】
人体に着用される衣料であって、
前記衣料が前記人体に着用された際に、前記人体の膝蓋骨に対応する位置に位置し、緊締力を付与する第１部分と、
前記衣料が前記人体に着用された際に、前記人体の膝蓋骨に対応する位置の周囲に位置し、前記第１部分よりも大きい緊締力を付与する第２部分と、
を備えることを特徴とする衣料。
【請求項２】
請求項１に記載の衣料であって、
前記衣料が前記人体に着用された際に、前記人体の膝窩に対応する位置に位置し、緊締力を付与する第３部分と、
前記衣料が前記人体に着用された際に、前記人体の膝窩に対応する位置の周囲に位置し、前記第３部分よりも大きい緊締力を付与する第４部分と、
を備えることを特徴とする衣料。
【請求項３】
請求項１又は２に記載の衣料であって、
前記衣料が前記人体に着用された際に、前記人体の膝蓋骨の上端部に相当する高さ位置であって大腿部側周に対応する位置に位置し、かつ、
前記人体の膝蓋骨の下端部に相当する高さ位置であって下腿部側周に対応する位置に位置し、
前記第１部分よりも大きい緊締力を付与する第５部分を備えることを特徴とする衣料。
【請求項４】
請求項１〜３の何れかに記載の衣料であって、
前記衣料が前記人体に着用された際に、前記人体の２つの膝関節が相互に対向する前記膝関節の側面上であって、前記膝蓋骨の上端部に相当する高さ位置と前記膝蓋骨の下端部に相当する高さ位置との間に位置し、
前記第１部分よりも大きい緊締力を付与する第６部分を備えることを特徴とする衣料。
【請求項５】
請求項１〜３の何れかに記載の衣料であって、
前記衣料が前記人体に着用された際に、前記人体の２つの大腿部及び下腿部が相互に対向する前記大腿部及び下腿部の側面上であって、前記人体の股部に対応する位置と前記人体の脛骨の末端の内果に対応する位置との間に位置し、
前記第１部分よりも大きい緊締力を付与する第７部分を備えることを特徴とする衣料。
【請求項６】
請求項１〜５の何れかに記載の衣料であって、
前記衣料が前記人体に着用された際に、前記人体の外側広筋に対応する領域を上下に分断するように横断する位置に位置し、緊締力を付与する第８部分と、
前記衣料が前記人体に着用された際に、前記外側広筋に対応する領域のうち前記第８部分が位置する位置以外の位置に位置し、前記第８部分よりも小さい緊締力を付与する第９部分と、
を備えることを特徴とする衣料。
【請求項７】
人体に着用される衣料であって、
衣料が人体に着用された際に、前記人体の肘頭に対応する位置に位置し、緊締力を付与する第１０部分と、
前記衣料が前記人体に着用された際に、前記人体の肘頭に対応する位置の周囲に位置し、前記第１０部分よりも大きい緊締力を付与する第１１部分と、
を備えることを特徴とする衣料。
【請求項８】
請求項７に記載の衣料であって、
前記衣料を前記人体に着用し、前記人体の肘関節を屈曲させた際に、前記肘関節の上腕部と前腕部とが対向する面の面上であって、前記肘関節の橈骨輪状靭帯に対応する位置に位置し、緊締力を付与する第１２部分と、
前記衣料を前記人体に着用し、前記人体の肘関節を屈曲させた際に、前記肘関節の上腕部と前腕部とが対向する面の面上であって、前記肘関節の橈骨輪状靭帯に対応する位置の周囲に位置し、前記第１２部分よりも大きい緊締力を付与する第１３部分と、
を備えることを特徴とする衣料。
【請求項９】
請求項７又は８に記載の衣料であって、
前記人体の肘頭の上端部に相当する高さ位置であって上腕部側周に対応する位置に位置し、かつ、
前記人体の肘頭の下端部に相当する高さ位置であって前腕部側周に対応する位置に位置し、
前記第１０部分よりも大きい緊締力を付与する第１４部分を備えることを特徴とする衣料。
【請求項１０】
請求項７〜９に記載の衣料であって、
前記人体の肘関節が前記人体の胴部に対向する前記肘関節の側面上であって、前記肘頭の上端部に相当する高さ位置と前記肘頭の下端部に相当する高さ位置との間に位置し、
前記第１０部分よりも大きい緊締力を付与する第１５部分を備えることを特徴とする衣料。
【請求項１１】
請求項７〜９の何れかに記載の衣料であって、
前記人体の上腕部上端内側に対応する位置と前記人体の伸筋支帯に対応する位置との間に位置し、
前記第９部分よりも大きい緊締力を付与する第１６部分を備えることを特徴とする衣料。
【発明の詳細な説明】
【技術分野】
【０００１】
本発明は、人体に着用される衣料に関する。
【背景技術】
【０００２】
コンディショニングウェアなど、人体に着用された際に人体の筋肉に緊締力を付与する衣料は既に知られている。このような衣料は、上記緊締力により筋肉をサポートし、例えば、筋肉の疲労の軽減やスポーツ障害の防止を目的として着用される（例えば、特許文献１参照）。
【先行技術文献】
【特許文献】
【０００３】
【特許文献１】特開２００１−１９２９０３号公報
【発明の概要】
【発明が解決しようとする課題】
【０００４】
ところで、運動時において膝関節には体重と衝撃がかかる。また、膝関節は、前後方向への体重移動、体幹の回転、側方への屈曲など複雑な動きをコントロールするのに重要な役割を果たしている。こうした動きを可能にするため、膝関節を構成する骨は重要な靭帯が接続しているが、これらの靭帯は体重と衝撃及び複雑な動きにより損傷を招くことがある。
【０００５】
同様に、肘関節は、伸ばした肘を曲げる屈曲動作、曲げた肘を伸ばす伸展動作、肘から前腕部を内側に回旋させ手のひらを下方に向ける回内動作、肘から前腕部を外側に回旋させ手のひらを上方に向ける回外動作などの複雑な動きをコントロールするのに重要な役割を果たしている。こうした動きを可能にするため、肘関節を構成する骨は重要な靭帯が接続しているが、これらの靭帯はこれらの動きを複合的に行う際に局所的な負荷が特定の部位にかかってしまうことで損傷を招くことがある。
【０００６】
本発明はかかる従来の課題に鑑みて成されたもので、その目的とするところは、運動の際に着用者の膝関節又は肘関節を保護する衣料を提供することを目的とする。
【課題を解決するための手段】
【０００７】
かかる目的を達成するために、主たる発明は、人体に着用される衣料であって、前記衣料が前記人体に着用された際に、前記人体の膝蓋骨に対応する位置に位置し、緊締力を付与する第１部分と、前記衣料が前記人体に着用された際に、前記人体の膝蓋骨に対応する位置の周囲に位置し、前記第１部分よりも大きい緊締力を付与する第２部分と、を備えることを特徴とする衣料である。
【０００８】
また、主たる発明は、人体に着用される衣料であって、衣料が人体に着用された際に、前記人体の肘頭に対応する位置に位置し、緊締力を付与する第１０部分と、前記衣料が前記人体に着用された際に、前記人体の肘頭に対応する位置の周囲に位置し、前記第１０部分よりも大きい緊締力を付与する第１１部分と、を備えることを特徴とする衣料である。
【０００９】
本発明の他の特徴については、本明細書及び添付図面の記載により明らかにする。
【図面の簡単な説明】
【００１０】
【図１】トップス１０を前方（腹側）から見た図である。
【図２】トップス１０を後方（背側）から見た図である。
【図３】パンツ２０を前方（腹側）から見た図である。
【図４】パンツ２０を後方（背側）から見た図である。
【図５Ａ】肘関節の骨格について前方から見たときの模式図である。
【図５Ｂ】図５Ａに対応する部分におけるトップス１０の強緊締部と中緊締部の配置を示す図である。
【図６Ａ】肘関節の骨格について後方から見たときの模式図である。
【図６Ｂ】図６Ａに対応する部分におけるトップス１０の強緊締部と中緊締部の配置を示す図である。
【図７Ａ】肘を伸展したときの状態を示す図である。
【図７Ｂ】肘を直角に屈曲したときの状態を示す図である。
【図７Ｃ】肘を約１４０度に屈曲したときの状態を示す図である。
【図８Ａ】上腕骨１１１、橈骨１１２及び尺骨１１３、並びに内側副側靭帯１２１の骨格図である。
【図８Ｂ】トップス１０とトップス１０を着用した人の内側側副靭帯１２１との位置関係を示す図である。
【図９Ａ】野球のピッチャーの投球動作を示す図である。
【図９Ｂ】その投球動作の際の肘の骨格の状態を示す図である。
【図１０】橈骨１１２及び尺骨１１３、並びに橈骨輪状靭帯１２２の骨格図である。
【図１１Ａ】トップス１０とトップス１０を着用した人の橈骨輪状靭帯１２２との位置関係を示す前方図である。
【図１１Ｂ】トップス１０とトップス１０を着用した人の橈骨輪状靭帯１２２との位置関係を示す後方図である。
【図１２】パンツ２０とパンツ２０を着用した人の膝蓋骨２２２との位置関係を示す前方図である。
【図１３】パンツ２０とパンツ２０を着用した人の膝蓋骨２２２との位置関係を示す上方図である。
【図１４】パンツ２０とパンツ２０を着用した人の膝蓋骨２２２との位置関係を右膝内側方向から示す図である。
【図１５Ａ】大腿骨２２１、脛骨２２３及び腓骨２２４、並びに膝関節の内側側副靭帯２１１及び外側側副靭帯２１２の骨格図である。
【図１５Ｂ】パンツ２０とパンツ２０を着用した人の内側側副靭帯２１１及び外側側副靭帯２１２との位置関係を示す前方図である。
【図１６】右膝関節が外側に反るような力（外反ストレス）を受けたときの骨格の状態を示す図である。
【図１７】右膝関節が内側に反るような力（内反ストレス）を受けたときの骨格の状態を示す図である。
【図１８Ａ】大腿骨２２１、脛骨２２３及び腓骨２２４、並びに前十字靭帯２１３の骨格図である。
【図１８Ｂ】パンツ２０とパンツ２０を着用した人の前十字靭帯２１３との位置関係を示す前方図である。
【図１９Ａ】右膝関節が旋回していないときの膝関節の骨格の状態を示す図である。
【図１９Ｂ】右膝関節が外側に旋回したときの膝関節の骨格の状態を示す図である。
【図１９Ｃ】右膝関節が内側に旋回したときの膝関節の骨格の状態を示す図である。
【図２０Ａ】上腕二頭筋の骨格筋図である。
【図２０Ｂ】トップス１０とトップス１０を着用した人の上腕二頭筋１５１、１５２との位置関係を示す前方図である。
【図２１Ａ】円回内筋１５３の骨格筋図である。
【図２１Ｂ】トップス１０とトップス１０を着用した人の円回内筋１５３との位置関係を示す前方図である。
【図２２Ａ】上腕三頭筋１５４、１５５の骨格筋図である。
【図２２Ｂ】トップス１０とトップス１０を着用した人の上腕三頭筋１５４、１５５との位置関係を示す前方図である。
【図２３Ａ】手関節屈筋である尺側手根屈筋１５６と橈側手根屈筋１５７の骨格筋図である。
【図２３Ｂ】トップス１０とトップス１０を着用した人の尺側手根屈筋１５６及び橈側手根屈筋１５７との位置関係を示す前方図である。
【図２４Ａ】手関節伸筋である尺側手根屈筋１５８と、長橈側手根屈筋１５９と、短橈側手根屈筋１６０との骨格筋図である。
【図２４Ｂ】トップス１０と、トップス１０を着用した人の尺側手根屈筋１５８、長橈側手根屈筋１５９及び短橈側手根屈筋１６０との位置関係を示す前方図である。
【図２５Ａ】手指屈筋の浅指屈筋１６１の骨格筋図である。
【図２５Ｂ】トップス１０とトップス１０を着用した人の浅指屈筋１６１との位置関係を示す前方図である。
【図２６Ａ】手指伸筋の総指伸筋１６２の骨格筋図である。
【図２６Ｂ】トップス１０と、トップス１０を着用した人の総指伸筋１６２との位置関係を示す前方図である。
【図２７Ａ】短内転筋２５１及び長内転筋２５２の骨格筋図である。
【図２７Ｂ】パンツ２０とパンツ２０を着用した人の短内転筋２５１及び長内転筋２５２との位置関係を示す前方図である。
【図２８Ａ】大内転筋２５３の骨格筋図である。
【図２８Ｂ】パンツ２０とパンツ２０を着用した人の大内転筋２５３との位置関係を示す前方図である。
【図２９Ａ】薄筋２５４の骨格筋図である。
【図２９Ｂ】パンツ２０とパンツ２０を着用した人の薄筋２５４との位置関係を示す前方図である。
【図３０Ａ】恥骨筋２５５の骨格筋図である。
【図３０Ｂ】パンツ２０とパンツ２０を着用した人の恥骨筋２５５との位置関係を示す前方図である。
【図３１Ａ】内側広筋２５６の骨格筋図である。
【図３１Ｂ】パンツ２０とパンツ２０を着用した人の内側広筋２５６との位置関係を示す前方図である。
【図３２Ａ】強緊締部の編組織を示した図である。
【図３２Ｂ】中緊締部の編組織を示した図である。
【図３２Ｃ】弱緊締部の編組織を示した図である。
【発明を実施するための形態】
【００１１】
本明細書及び添付図面の記載により少なくとも次のことが明らかにされる。
【００１２】
先ず、人体に着用される衣料であって、前記衣料が前記人体に着用された際に、前記人体の膝蓋骨に対応する位置に位置し、緊締力を付与する第１部分と、前記衣料が前記人体に着用された際に、前記人体の膝蓋骨に対応する位置の周囲に位置し、前記第１部分よりも大きい緊締力を付与する第２部分と、を備えることを特徴とする衣料である。  
かかる構成の衣料を人体に着用すると、運動の際に着用者の膝関節を保護することができる。
【００１３】
また、上記の衣料であって、前記衣料が前記人体に着用された際に、前記人体の膝窩に対応する位置に位置し、緊締力を付与する第３部分と、前記衣料が前記人体に着用された際に、前記人体の膝窩に対応する位置の周囲に位置し、前記第３部分よりも大きい緊締力を付与する第４部分と、を備えることを特徴とする衣料である。  
かかる構成の衣料を人体に着用すると、大腿後方と下腿後方の筋肉が膝屈曲時に圧迫されるのを抑制することができる。
【００１４】
また、上記の衣料であって、前記衣料が前記人体に着用された際に、前記人体の膝蓋骨の上端部に相当する高さ位置であって大腿部側周に対応する位置に位置し、かつ、前記人体の膝蓋骨の下端部に相当する高さ位置であって下腿部側周に対応する位置に位置し、前記第１部分よりも大きい緊締力を付与する第５部分を備えることを特徴とする衣料である。  
かかる構成の衣料を人体に着用すると、膝屈伸運動時の膝蓋骨の上下滑動を許容しつつ、膝蓋骨を大腿骨の関節面に安定させることができる。
【００１５】
また、上記の衣料であって、前記衣料が前記人体に着用された際に、前記人体の２つの膝関節が相互に対向する前記膝関節の側面上であって、前記膝蓋骨の上端部に相当する高さ位置と前記膝蓋骨の下端部に相当する高さ位置との間に位置し、前記第１部分よりも大きい緊締力を付与する第６部分を備えることを特徴とする衣料である。  
かかる構成の衣料を人体に着用すると、膝関節における外反ストレスを抑制することができる。
【００１６】
また、上記の衣料であって、前記衣料が前記人体に着用された際に、前記人体の２つの大腿部及び下腿部が相互に対向する前記大腿部及び下腿部の側面上であって、前記人体の股部に対応する位置と前記人体の脛骨の末端の内果に対応する位置との間に位置し、前記第１部分よりも大きい緊締力を付与する第７部分を備えることを特徴とする衣料である。  
かかる構成の衣料を人体に着用すると、膝関節における外反ストレスの抑制効果を大きくすることができる。
【００１７】
また、上記の衣料であって、前記衣料が前記人体に着用された際に、前記人体の外側広筋に対応する領域を上下に分断するように横断する位置に位置し、緊締力を付与する第８部分と、前記衣料が前記人体に着用された際に、前記外側広筋に対応する領域のうち前記第８部分が位置する位置以外の位置に位置し、前記第８部分よりも小さい緊締力を付与する第９部分と、を備えることを特徴とする衣料である。  
かかる構成の衣料を人体に着用すると、膝関節において水平面上での捻れ方向の運動によって生じる前十字靭帯に対する緊張ストレスを抑制することができる。
【００１８】
また、上記の衣料であって、衣料が人体に着用された際に、前記人体の肘頭に対応する位置に位置し、緊締力を付与する第１０部分と、前記衣料が前記人体に着用された際に、前記人体の肘頭に対応する位置の周囲に位置し、前記第１０部分よりも大きい緊締力を付与する第１１部分と、を備えることを特徴とする衣料である。  
かかる構成の衣料を人体に着用すると、運動の際に着用者の肘関節を保護することができる。
【００１９】
また、上記の衣料であって、前記衣料を前記人体に着用し、前記人体の肘関節を屈曲させた際に、前記肘関節の上腕部と前腕部とが対向する面の面上であって、前記肘関節の橈骨輪状靭帯に対応する位置に位置し、緊締力を付与する第１２部分と、前記衣料を前記人体に着用し、前記人体の肘関節を屈曲させた際に、前記肘関節の上腕部と前腕部とが対向する面の面上であって、前記肘関節の橈骨輪状靭帯に対応する位置の周囲に位置し、前記第１２部分よりも大きい緊締力を付与する第１３部分と、を備えることを特徴とする衣料である。  
かかる構成の衣料を人体に着用すると、上腕前方と前腕前方の筋肉が肘屈曲時に圧迫されるのを抑制することができる。
【００２０】
また、上記の衣料であって、前記人体の肘頭の上端部に相当する高さ位置であって上腕部側周に対応する位置に位置し、かつ、前記人体の肘頭の下端部に相当する高さ位置であって前腕部側周に対応する位置に位置し、前記第１０部分よりも大きい緊締力を付与する第１４部分を備えることを特徴とする衣料である。  
かかる構成の衣料を人体に着用すると、肘屈伸運動時の肘頭の突出を許容しつつ、安定させることができる。
【００２１】
また、上記の衣料であって、前記人体の肘関節が前記人体の胴部に対向する前記肘関節の側面上であって、前記肘頭の上端部に相当する高さ位置と前記肘頭の下端部に相当する高さ位置との間に位置し、前記第１０部分よりも大きい緊締力を付与する第１５部分を備えることを特徴とする衣料である。  
かかる構成の衣料を人体に着用すると、肘が外側に反るときに内側側副靭帯にかかる外反ストレスを抑制することができる。
【００２２】
また、上記の衣料であって、前記人体の上腕部上端内側に対応する位置と前記人体の伸筋支帯に対応する位置との間に位置し、前記第１０部分よりも大きい緊締力を付与する第１６部分を備えることを特徴とする衣料である。  
かかる構成の衣料を人体に着用すると、外反ストレスの抑制効果を大きくすることができる。
【００２３】
＝＝＝本実施形態の衣料の形状＝＝＝
本発明の衣料の一例として、図１及び図２に示す上半身用のコンディショニングウェア（以下、トップス１０）、及び、図３及び図４に示す下半身用のコンディショニングウェア（以下、パンツ２０）について、それぞれ説明する。
【００２４】
図１はトップス１０を前方（腹側）から見た図であり、図２はトップス１０を後方（背側）から見た図である。図３はパンツ２０を前方（腹側）から見た図であり、図４はパンツ２０を後方（背側）から見た図であり、図５はパンツ２０を横から見た図である。なお、上記の各図には、人体に着用された状態のトップス１０若しくはパンツ２０が示されている。
【００２５】
トップス１０は、図１及び図２に示すように、胴部１１と、胴部１１に縫合された左右一対の腕部１２と、を有する、シャツ型のコンディショニングウェアである。パンツ２０は、図３及び図４に示すように、腰部２１と、腰部に隣接する左右一対の脚部２２と、を有する、履き込み型のコンディショニングウェアである。本実施形態のトップス１０及びパンツ２０は、いずれも、伸縮性を有する生地からなる衣料であり、人体に着用された際に人体にフィットして人体の所定の部位（所定の部位については後述する）に緊締力を付与する。ここで、緊締力とは、生地の張力によって生じ、靭帯や筋肉を締め付けて靭帯や筋肉を制動するような力のことである。
【００２６】
そして、本実施形態のトップス１０及びパンツ２０は、図１〜図４に示すように、互いに伸縮度合いが異なる３種類の生地部分を有する。すなわち、本実施形態のトップス１０及びパンツ２０は、いずれも、互いに伸縮度合いが異なる３種類の部分（図１〜図４中、白、グレー、黒色にて塗り分けられた部分）を有している。ここで、伸縮度合いとは、伸縮し易さのことである。伸縮度合いが小さい（伸縮し難い）とは、元の状態（外力が付与されていない状態）を維持し易い生地の性質（つまり、大きな外力を加えないと伸びず、伸びた状態で外力が解放された場合には、元の状態に戻り易い性質）を表し、伸縮度合いが大きい（伸縮し易い）とは、元の状態を維持し難い生地の性質（つまり、小さな外力で伸び、伸びた状態で外力が解放された場合に、元の状態に戻り難い性質）を表す。
【００２７】
本実施形態では、トップス１０及びパンツ２０の各々の生地の伸縮度合いが３段階に設定されているため、トップス１０及びパンツ２０の各々が人体に着用された際に筋肉に付与される緊締力が、３段階に設定されていることになる。なお、当然のことながら、当該緊締力は、生地の伸縮度合いが大きくなるほど弱くなる。このため、トップス１０及びパンツ２０の各々は、最も伸縮度合いが小さいために最も強い緊締力を筋肉に付与する生地部分（以下、強緊締部）と、最も伸縮度合いが大きいために最も弱い緊締力を筋肉に付与する生地部分（以下、弱緊締部）と、伸縮度合いが強緊締部より大きく、且つ、弱緊締部より小さいために、強緊締部より弱く、且つ、弱緊締部より強い緊締力を筋肉に付与する生地部分（以下、中緊締部）と、を有することになる。なお、図１〜図４中、白く塗られた部分が強緊締部に、グレーで塗られた部分が中緊締部に、黒く塗られた部分が弱緊締部に、それぞれ相当する。
【００２８】
以下、トップス１０及びパンツ２０の各々について、強緊締部、中緊締部、及び、弱緊締部の配置について、トップス１０又はパンツ２０が人体に着用された状態での上記配置について説明する。ここで、人体の所定部位（例えば、所定の筋肉、骨など）に対応する位置とは、前記所定部位を覆う位置のことを意味する（つまり、人体の所定部位に対応する位置の奥に当該所定部位が存在する）。
【００２９】
なお、人体の相対的位置関係について、上下とは、頭部に近い方が上であり、手指又は足指に近い方が下であるとする。また、前後とは、顔や腹が向いている方が前であり、背が向いている方が後ろである。また、腕部において、胴部に対向している側が内側であり、その内側の反対側が外側である。脚部において、もう一方の脚部に対向している側が内側であり、その内側の反対側が外側である。
【００３０】
＜＜トップス１０＞＞
本実施形態のトップス１０では、図１及び図２に示すように、強緊締部、中緊締部、及び、弱緊締部が、それぞれ、人体の中心軸を中心として左右対称に連携された状態で配置されている。以下、トップス１０における強緊締部、中緊締部、及び、弱緊締部の各々の配置について説明する。
【００３１】
＜強緊締部の配置＞
トップス１０の長袖部前面では、図１に示すように、肘関節の中心部分（橈骨輪状靭帯に対応する位置であって、図１中、記号ｙ１２にて示した部分）を除き、肘関節の中心部分ｙ１２の外縁部分ｘ１９ａ、ｘ１９ｂから手首にかけての部分（図１中、記号ｘ１９ｃにて示した部分）に配置されている。
【００３２】
また、トップス１０の胴部前面では、図１に示すように、強緊締部が首元から脇下に向けて襷掛け状に配置されている。つまり、強緊締部は、トップス１０の前面において、襟ラインに沿って斜めに延び胸鎖関節に対応する位置辺りで合流している部分（図１中、記号ｘ１１にて示した部分）と、当該部分ｘ１１の合流位置から再び分岐して脇下に向かって斜め下方に延びた部分（図１中、記号ｘ１２にて示した部分）を有している。また、強緊締部は、胸鎖関節に対応する位置辺りから肩に向かって鎖骨に沿うように伸びた部分（図１中、記号ｘ１３にて示した部分）を有している。さらに、トップス１０の前面では、強緊締部が、脇下から胴部１１の裾に向けて襷掛け状に配置されている。具体的に説明すると、強緊締部は、トップス１０の前面において、脇下の下方位置から斜め下方に延びて臍に対応する位置辺りにて合流した部分（図１中、記号ｘ１４にて示した部分）と、当該部分ｘ１４の合流位置から再び分岐して寛骨の上前腸骨棘に対応する位置に向かって斜め下方に延びた部分（図１中、記号ｘ１５にて示した部分）と、を有している。
【００３３】
一方、トップス１０の長袖部後面では、図２に示すように、肘関節の中心部分（肘頭に対応する位置であって、図２中、記号ｙ１４にて示した部分）を除き、肘関節の中心の外縁部分ｘ２０ａ、ｘ２０ｂから手首にかけての部分（図２中、記号ｘ２０ｃにて示した部分）に配置されている。
【００３４】
また、トップス１０の胴部後面では、図２に示すように、強緊締部が、首元周りに配置されている。また、強緊締部は、トップス１０の後面において、肩甲骨内側縁に対応する位置から脇下に向かって斜め下方に延びた部分（図２中、記号ｘ１６にて示した部分）と、当該部分ｘ１６の中途位置から胸椎の中心に対応する位置に向かって延び、当該位置から脇下の下方位置に向かって斜めに延びた部分（図２中、記号ｘ１７にて示した部分）と、を有している。なお、部分ｘ１７は、脇下の下方位置において部分ｘ１４と連結している。さらに、強緊締部は、トップス１０の後面において、脇下の下方位置から骨盤中央（詳しくは、腰仙椎部の基部）に対応する位置に向かって斜め下方に延びた部分（図２中、記号ｘ１８にて示した部分）と、当該部分ｘ１８に隣接し胴部１１の裾まで延びた部分（図２中、記号ｘ１９にて示した部分）と、を有している。なお、部分ｘ１９は、胴部１１の裾部において部分ｘ１５と連結している。これにより、胴部１１の裾部における強緊締部の配置位置が、骨盤（詳しくは、腰仙骨部）を取り囲むような位置になっている。
【００３５】
＜中緊締部の配置＞
トップス１０の長袖部では、図１及び図２に示すように、肘関節前面の中心部分（橈骨輪状靭帯に対応する位置であって、図１中、記号ｙ１２にて示した部分）、肘関節後面の中心部分（肘頭に対応する位置であって、図２中、記号ｙ１４にて示した部分）、浅指屈筋及び深指屈筋の筋腹に対応する部分（図１及び図２中、記号ｙ１３にて示した部分）に配置されている。
【００３６】
また、中緊締部は、肩上方を覆って上腕を取り巻くように配置されている。つまり、中緊締部は、トップス１０の前面及び後面の双方において、肩峰に対応する位置から上腕骨頭に対応する位置を通過して脇下周辺に向かって延びた部分（図１及び図２において、記号ｙ１１にて示す部分）を有している。
【００３７】
＜弱緊締部の配置＞
トップス１０の長袖部では、図１及び図２に示すように、弱緊締部が、上腕二頭筋の長頭の筋腹に対応する部分（図１及び図２中、記号ｚ１６にて示した部分）に配置されている。
【００３８】
また、トップス１０の前面では、図１に示すように、弱緊締部が、胸郭部中央に対応する位置から臍に対応する位置よりもやや上方の位置まで幅広く配置されている。つまり、弱緊締部は、トップス１０の前面において、強緊締部の部分ｘ１２及び部分ｘ１４に包囲され横隔膜に対応する位置周辺を覆う部分（図１中、記号ｚ１１にて示す部分）を有している。また、弱緊締部は、トップス１０の前面において、胴部１１の裾から略三角形状に広がった部分（図１中、記号ｚ１２にて示す部分）と、強緊締部の部分ｘ１１及び部分ｘ１２と中緊締部の部分ｙ１１との間において脇下から肩前方を覆う部分（図１中、記号ｚ１３にて示す部分）と、を有している。
【００３９】
一方、トップス１０の後面では、図２に示すように、弱緊締部が、胸椎の中心に対応する位置よりやや下側から腰上部まで幅広く配置されている。つまり、弱緊締部は、トップス１０の後面において、強緊締部の部分ｘ１７及び部分ｘ１８に包囲され横隔膜に対応する位置周辺を背面側から覆う部分（図１中、記号ｚ１４にて示す部分）を、有している。また、弱緊締部は、トップス１０の後面において、強緊締部の部分ｘ１７と中緊締部の部分ｙ１１との間において脇下から肩後方を覆う部分（図１中、記号ｚ１５にて示す部分）を有している。さらに、図１及び図２に示すように、弱緊締部は、腕部１２の中央から腕部１２の裾よりもやや上側の位置にかけて上腕を取り囲む部分（図１及び図２中、記号ｚ１６にて示す部分）と、脇腹を覆う部分（図１及び図２中、記号ｚ１７にて示す部分）とを有している。
【００４０】
＜＜パンツ２０＞＞
本実施形態のパンツ２０では、図３及び図４に示すように、強緊締部、中緊締部、及び、弱緊締部が、それぞれ、人体の中心軸を中心として左右対称に連携された状態で配置されている。以下、パンツ２０における強緊締部、中緊締部、及び、弱緊締部の各々の配置について説明する。
【００４１】
＜弱緊締部の配置＞
弱緊締部は、図４に示すように、パンツ２０の後面において大殿筋の筋腹に対応する部分（図４中、記号ｚ２１にて示した部分）と、パンツ２０の側面において大腿の側面下部を覆う部分（図３及び図４中、記号ｚ２２にて示した部分）と、下腿後面においてヒラメ筋の筋腹に対応する部分（図４中、記号ｚ２３にて示した部分）と、を有している。
【００４２】
＜中緊締部の配置＞
中緊締部は、図３に示すように、パンツ２０の前面において腰部２１の上端から逆三角形状に広がった部分（図３中、記号ｙ２１にて示した部分）と、骨盤前方で交差して大腿上部に繋がれた強緊締部（後述する部分ｘ２４、ｘ２８）に包囲された部分（図３中、記号ｙ２２にて示した部分）と、膝蓋骨に対応する部分（図３中、記号ｙ２７にて示した部分）と、下腿内側部におけるヒラメ筋の筋腹に対応する部分（図３中、記号ｙ２８、ｙ２９にて示した部分）を有している。
【００４３】
また、中緊締部は、図４に示すように、パンツ２０の後面において、大腿の後方で大腿二頭筋の長頭の筋腹に対応する部分（図４中、記号ｙ２５にて示した部分）と、腰部２１の上端から腰仙関節に対応する位置辺りまで逆三角形状に広がった部分（図４中、記号ｙ２６にて示した部分）と、膝窩に対応する部分（図４中、記号ｙ３０にて示した部分）と、下腿後面においてヒラメ筋の筋腹に対応する部分ｚ２３の外縁部分（図４中、記号ｙ３１にて示した部分）を有している。
【００４４】
また、中緊締部は、大腿の側面下部を覆う部分ｚ２２の外縁部分（図３及び図４中、記号ｙ２３、ｙ２４にて示した部分）を有している。
【００４５】
＜強緊締部の配置＞
図３に示すように、パンツ２０の前面では、強緊締部が、腸骨稜に対応する位置から大腿の鼠径部に対応する位置に向かって襷掛け状に配置されている。つまり、強緊締部は、パンツ２０の前面において、腸骨稜に対応する位置において部分ｘ２２と連結し、その連結位置から斜め下方に延びて臍に対応する位置よりも幾分上方の位置にて合流した部分（図３中、記号ｘ２８にて示した部分）と、当該部分ｘ２８の合流位置から再び分岐して鼠径部に対応する位置に向かって延びた部分（図１中、記号ｘ２９にて示した部分）と、を有している。また、図３及び図５に示すように、大転子に対応する位置辺りから大腿の前方に向かって延びた部分（すなわち、部分ｘ２４）が、大腿の前方まで回り込み鼠径部に沿って恥骨結合に対応する位置まで延びている。また、部分ｘ２４は、図３に示すように、大腿前面において大腿上部を覆っている。
【００４６】
また、強緊締部は、下腿部前面において、膝部内側面ｘ２９ａから膝関節内側ｘ２９ｂを経て足首部内側面ｘ２９ｅへ延びるとともに、これと平行して膝部外側面ｘ２８から膝関節外側ｘ２９ｃ及び下腿部外側ｘ２９ｄを経て足首部外側面ｘ２９ｅへ延びている。また、強緊締部は、下腿部上部ｘ２９ｆ（すなわち、膝関節の下縁）および下腿部下部ｘ２９ｇ（足首関節の上縁）において側周する。
【００４７】
一方、パンツ２０の後面では、図４に示すように、強緊締部が、恥骨に対応する位置から仙骨に対応する位置まで引き上げられてから腸骨稜の外側上方に対応する位置に向かうように、略Ｖ字状に配置されている。つまり、強緊締部は、パンツ２０の後面において、恥骨に対応する位置から逆三角形状に広がって仙腸関節に対応する位置周辺を覆う部分（図４中、記号ｘ２１にて示した部分）と、当該部分ｘ２１から左右に分岐して腸骨稜に対応する位置に向かって斜め上方に延びた部分（図４中、記号ｘ２２にて示した部分）と、を有している。また、強緊締部は、腰部２１の幅方向端部において前記部分ｘ２２と連結し、大転子に対応する位置辺りまで幅広く延びた部分（図４中、記号ｘ２３にて示した部分）を有している。そして、強緊締部は、図３及び図４に示すように部分ｘ２３の下端部から分岐して、大腿の前方に向かって延びた部分（図３中、記号ｘ２４にて示した部分）と、大腿の後方に向かって延びた部分（図４中、記号ｘ２５にて示す部分）と、をそれぞれ形成している。
【００４８】
さらに、強緊締部は、パンツ２０の後面において、恥骨結合に対応する位置から坐骨結節に対応する位置を通過するように延びた部分（図４中、記号ｘ２６にて示す部分）と、恥骨結合に対応する位置から大腿内側を覆う部分（図４中、記号ｘ３０ａにて示す部分）とを有する。なお、部分ｘ２６及び部分ｘ３０ａは、いずれも部分ｘ２５と連結している。また、部分ｘ３０ａは、恥骨結合に対応する位置から三角形状に広がり、部分ｘ３０ａと連結した部分ｘ２５は、膝関節の中緊締部ｙ３０の外縁まで達している。
【００４９】
また、強緊締部は、下腿部後面において、膝部内側面ｘ３０ｂから足首部内側面（図４中、記号ｘ３０ｇにて示す部分）を経て足首部分（図４中、記号ｘ３０ｅにて示す部分）へ延びるとともに、これと平行して膝部外側面（図４中、記号ｘ３０ｃにて示す部分）から下腿部外側面（図４中、記号ｘ３０ｄにて示す部分）を経て足首部外側面（図４中、記号ｘ３０ｅにて示す部分）へ延びている。また、強緊締部は、下腿部上部（すなわち、膝関節の下縁であって、図４中、記号ｘ３０ｆにて示す部分）および下腿部下部（足首関節の上縁であって、図４中、記号ｘ３０ｅにて示す部分）において側周する。
【００５０】
以上のように、本実施形態のパンツ２０では、強緊締部が、骨盤を取り囲み骨盤の前方で交差してから大腿部に連結し、さらに下腿部に繋がれるように配置されている。
【００５１】
＝＝本実施形態の衣料が付与する緊締力と靭帯及び骨格との関係＝＝
コンディショニングウェアは、人体に着用されることにより、人体の靭帯及び骨に緊締力を付与して靭帯及び骨をサポートする。
【００５２】
＜＜トップス１０がサポートする肘関節部と、肘関節部に付与される緊締力との関係＞＞
まず、このコンディショニングウェアにより肘関節の靭帯に緊締力を付与する場合について説明する。
【００５３】
＜肘屈伸運動＞
図５Ａは肘関節の骨格について前方から見たときの模式図であり、図５Ｂは図５Ａに対応する部分におけるトップス１０の強緊締部と中緊締部の配置を示す図である。図５Ｂに示すように、トップス１０では、肘関節の屈曲部分ｙ１２（橈骨輪状靭帯に対応する部分であって、「第１２部分」に相当）に縦長の楕円形状の中緊締部が配置され、その中緊締部の周囲に位置する部分ｘ１９ａ、ｘ１９ｂ、ｘ１９ｄ、ｘ１９ｅ（「第１３部分」に相当）に強緊締部が配置されている。
【００５４】
また、図６Ａは肘関節の骨格について後方から見たときの模式図であり、図６Ｂは図６Ａに対応する部分におけるトップス１０の強緊締部と中緊締部の配置を示す図である。図６Ｂに示すように、トップス１０では、肘関節の肘頭に対応する部分ｙ１４（「第１０部分」に相当）に縦長の楕円形状の中緊締部が配置され、その中緊締部の周囲に位置する部分ｘ２０ａ、ｘ２０ｂ、ｘ２０ｄ、ｘ２０ｅ（「第１１部分」に相当）に強緊締部が配置されている。
【００５５】
また、肘頭の上端部に相当する高さ位置であって上腕部側周に対応する部分ｘ１９ｄ、ｘ２０ｄ（「第１４部分」に相当）と、肘頭の下端部に相当する高さ位置であって前腕部側周に対応する部分ｘ１９ｅ、ｘ２０ｅ（「第１４部分」に相当）に強緊締部が配置されている。
【００５６】
図７Ａ〜図７Ｃは、肘関節を屈伸運動時の尺骨肘頭の動きを模式的に示した図である。図７Ａは肘を伸展したときの状態を示し、図７Ｂは肘を直角に屈曲したときの状態を示し、図７Ｃは肘を約１４０度に屈曲したときの状態を示す。
【００５７】
図７Ａ〜図７Ｃに示すように、肘関節の前方に対しては、トップス１０の部分ｙ１２に中緊締部が配置されているので、トップス１０を着用すれば、肘屈曲時に上腕前面の筋肉や前腕前面の筋肉に対する圧迫を緩和することができる。
【００５８】
また、図７Ａ〜図７Ｃに示すように、肘は屈曲又は伸展の動作時に尺骨近位端である肘頭が、上腕骨滑車の周りを非常に広く動き、伸展状態から屈曲するのに伴い、突出する動きをする。そこで、肘関節の後方については、トップス１０の部分ｙ１４に中緊締力が配置されているので、トップス１０を着用すれば、肘頭の突出する動きを許容しつつ、肘頭の突出を適度なものとなるように抑制することができる。
【００５９】
＜肘外反ストレス＞
図８Ａは、上腕骨１１１、橈骨１１２及び尺骨１１３、並びに内側副側靭帯１２１の骨格図である。同図に示すように、内側副側靭帯１２１の一端は上腕骨１１１の上腕骨内顆１１１ａに付着し、他端は尺骨１１３の尺骨内側面１１３ａに付着する。  
図８Ｂは、トップス１０とトップス１０を着用した人の内側側副靭帯１２１との位置関係を示す図である。同図に示すように、トップス１０では、内側側副靭帯１２１に対応する部分ｘ１９ｂ（「第１５部分」に相当）に強緊締部が配置されている。
【００６０】
図９Ａは、野球のピッチャーの投球動作を示す図であり、図９Ｂは、その投球動作の際の肘の骨格の状態を示す図である。図９Ａ及び図９Ｂの矢印で示すように、肘が外側に反り返ることによって、内側側副靭帯にストレスがかかる。しかし、トップス１０には強緊締部が肘関節内側において上下方向に配置されているので、トップス１０を着用していれば内側側副靭帯にストレスを抑制することができる。
【００６１】
なお、上腕部内側に対応する部分ｙ１１ａから部分ｘ１９ｂを経て手首部内側に対応する部分ｘ１９ｃにかけての部分（「第１６部分」に相当）に、部分ｙ１２又はｙ１４以上の緊締力を有する中緊締部又は強緊締部を配置すれば、上記外反ストレス抑制にかかるより大きな効果を得られる。
【００６２】
＜回内・回外運動＞
図１０は、橈骨１１２及び尺骨１１３、並びに橈骨輪状靭帯１２２の骨格図である。同図に示すように、内側副側靭帯１２１は、橈骨１１２の上部側周において橈骨１１２と尺骨１１３を縛着するように周回する。また、内側副側靭帯１２１の一端は尺骨１１３の橈骨切痕前縁１１３ａに付着し、他端は尺骨１１３の橈骨切痕後縁１１３ｂに付着する。
【００６３】
図１１Ａは、トップス１０とトップス１０を着用した人の橈骨輪状靭帯１２２との位置関係を示す前方図であり、図１１Ｂは、トップス１０とトップス１０を着用した人の橈骨輪状靭帯１２２との位置関係を示す後方図である。図１１Ａ及び図１１Ｂに示すように、トップス１０では、橈骨輪状靭帯１２２に対応する部分ｘ１９ａ、ｘ１９ｅ、ｘ１９ｂ、ｘ２０ａ、ｘ２０ｅ、ｘ２０ｂに強緊締部が配置されている。
【００６４】
橈骨輪状靭帯には、肘の回内動作及び回外動作において、橈骨の尺骨に対する位置を安定させる働きがある。トップス１０では、肘関節の前腕上部において側周する部分に強緊締部が配置されている。よって、トップス１０は、橈骨輪状靭帯の作用を補助することができ、もって円滑な肘関節の回内運動及び回外運動を導くことができる。
【００６５】
＜＜パンツ２０がサポートする脚部及び膝関節部と、それらに付与される緊締力との関係＞＞
＜膝屈伸運動＞
図１２は、パンツ２０とパンツ２０を着用した人の膝蓋骨２２２との位置関係を示す前方図であり、図１３は、パンツ２０とパンツ２０を着用した人の膝蓋骨２２２との位置関係を示す上方図であり、また、図１４は、パンツ２０とパンツ２０を着用した人の膝蓋骨２２２との位置関係を右膝内側方向から示す図である。
【００６６】
図１２〜図１４に示すように、パンツ２０では、膝蓋骨２２２に対応する楕円形の部分ｙ２７（「第１部分」に相当）に中緊締部が配置される。なお、膝蓋骨２２２は、膝の屈伸運動に応じて上下に滑動するが、部分ｙ２７は、膝蓋骨２２２が滑動する範囲に対応して配置されている。また、図１４に示すように、パンツ２０では、膝窩２２５に対応する楕円形の部分ｙ３０（「第３部分」に相当）に中緊締部が配置される。
【００６７】
一方で、部分ｙ２７の周囲に位置する部分ｘ２９ｂ、ｘ２９ｃ、ｘ２９ｉ、ｘ２９ｊ（「第２部分」に相当）と、部分ｙ３０の周囲に位置する部分ｘ３０ｂ、ｘ３０ｃ、ｘ３０ｉ、ｘ３０ｊ（「第４部分」に相当）に強緊締部が配置されている。また、膝関節の上縁に対応し大腿骨の側周に対応する部分ｘ２９ｉ、ｘ３０ｉ（「第５部分」に相当）に強緊締部が配置され、膝関節の下縁に対応し下腿骨の側周に対応する部分ｘ２９ｊ、ｘ３０ｊ（「第５部分」に相当）に強緊締部が配置されている。
【００６８】
人が直立している際には、膝蓋骨が外側方向へずれようとする力が加わる。しかし、パンツ２０には膝蓋骨２２２に対応する部分ｙ２７に中緊締力部が配置され、その周囲に強緊締力部が配置されているので、パンツ２０を着用していれば膝蓋骨２２２を大腿骨２２１の関節面に安定させることができる。
【００６９】
また、膝屈曲位では、膝蓋骨が前方に突出しようとする。これに対して、膝蓋骨２２２が対応する部分ｙ２７においては中緊締部が配置され、膝蓋骨２２２が対応する部分の周囲においては強緊締部が配置されているので、パンツ２０を着用していれば膝蓋骨の前方への突出を抑制することができる。
【００７０】
さらに、屈伸運動の際には、膝蓋骨２２２は膝関節で上下に滑動する。膝蓋骨２２２が滑動する範囲には中緊締力の部分ｙ２７が配置されているので、パンツ２０を着用していても、膝蓋骨２２２は円滑に滑動することができる。一方で、膝関節後方面では、前方面と同様に中緊締部が配置されているので、パンツ２０を着用していても、膝屈曲時に大腿後方と下腿後方の筋肉が圧迫されるのを緩和することができる。
【００７１】
＜膝外反及び膝内反＞
図１５Ａは、大腿骨２２１、脛骨２２３及び腓骨２２４、並びに膝関節の内側側副靭帯２１１及び外側側副靭帯２１２の骨格図である。同図に示すように、内側副側靭帯２１１の一端は大腿骨内顆上方２２１ａに付着し、他端は脛骨内顆下方２２３ａに付着する。また、外側側副靭帯２１２一端は大腿骨外顆上方２２１ｂに付着し、他端は腓骨頭２２４ａに付着する。
【００７２】
図１５Ｂは、パンツ２０とパンツ２０を着用した人の内側側副靭帯２１１及び外側側副靭帯２１２との位置関係を示す前方図である。同図に示すように、パンツ２０では、内側側副靭帯２１１に対応する部分ｘ２９ｂ（「第６部分」に相当）に強緊締部が配置される。加えて恥骨結合に対応する部分２１３から足関節部内顆２１４までに連続的に対応する部分ｘ２９ａ、ｘ２９ｂ、ｘ２９ｄ、ｘ２９ｅ（「第７部分」に相当）に強緊締部が配置されている。
【００７３】
図１６は、右膝関節が外側に反るような力（外反ストレス）を受けたときの骨格の状態を示す図である。同図に示すように、内側側副靭帯２１１は、外反ストレスを受けると、伸びて損傷してしまうことがある。しかし、パンツ２０には内側側副靭帯２１１に対応する部分ｘ２９ｃに強緊締部が配置され、さらにその上下方向に強緊締部である部分ｘ２９ａと部分ｘ２９ｄと部分ｘ２９ｅとが配置されているので、パンツ２０を着用していれば内側側副靭帯２１１を外反ストレスから保護することができる。
【００７４】
図１７は、右膝関節が内側に反るような力（内反ストレス）を受けたときの骨格の状態を示す図である。同図に示すように、外側側副靭帯２１２は、内反ストレスを受けると、伸びて損傷してしまうことがある。しかし、パンツ２０には外側側副靭帯２１２に対応する部分ｘ２９ｃに強緊締部が上下方向に配置されているので、パンツ２０を着用していれば外側側副靭帯２１２を内反ストレスから保護することができる。
【００７５】
＜膝旋回運動＞
図１８Ａは、大腿骨２２１、脛骨２２３及び腓骨２２４、並びに前十字靭帯２１３の骨格図である。同図に示すように、前十字靭帯２１３の一端は大腿骨外顆の内側面２２１ｃに付着し、他端は脛骨前方顆間区の内方２２３ｂに付着する。  
図１８Ｂは、パンツ２０とパンツ２０を着用した人の前十字靭帯２１３との位置関係を示す前方図である。図１８Ｂに示すように、パンツ２０では、膝関節の上部に位置する部分ｘ２９ｆ（すなわち、大腿部の下方であって、「第８部分」に相当）に強緊締部が側周するように配置される。また、同図に示すように外側広筋の筋腹に対応する部分ｚ２２、ｙ２３、ｙ２４（「第９部分」に相当）とには、弱緊締部と中緊締部がそれぞれは位置される。
【００７６】
図１９Ａは右膝関節が旋回していないときの膝関節の骨格の状態を示す図であり、図１９Ｂは、右膝関節が外側に旋回したときの膝関節の骨格の状態を示す図であり、図１９Ｃは、右膝関節が内側に旋回したときの膝関節の骨格の状態を示す図である。同図に示すように、下腿部が外側又は内側に旋回すると緊張ストレスを受けてしまい、前十字靭帯２１３は伸びて損傷してしまうことがある。しかし、パンツ２０には膝関節の上部に位置する部分ｘ２９ｆに強緊締部が配置されているので、パンツ２０を着用していれば前十字靭帯２１３を緊張ストレスから保護することができる。一方で、外側広筋の筋腹に対応する部分ｚ２２、ｙ２３、ｙ２４には弱緊締部と中緊締部が配置されているので、外側広筋の柔軟な収縮が確保されている。
【００７７】
＝＝本実施形態の衣料が付与する緊締力と骨格筋との関係＝＝
次に、このコンディショニングウェアにより、骨格筋に緊締力が付与する場合について説明する。
【００７８】
骨格筋は、人体の支柱となる骨格に付着し、人間の運動において骨格を直接的に動かすことにより骨格間の関節の動きを実現している。そして、骨格筋の両端部に位置し、骨に付着している部位が骨格筋の起始部及び停止部である。ここで、起始部とは、骨格筋の両端部のうち、人体の中心により近い側の端部であり、停止部とは、人体の中心からより離れた側の端部である。換言すると、関節が動く際、当該関節を構成する骨（より詳しくは、関節を構成する一対の骨のうちの一方の骨）の動きの支点となる側の端部が起始部であり、当該骨を動かすために動く側の端部が停止部である。なお、一部の骨格筋については、骨格筋の両端部のうち、骨盤により近い側の端部が起始部であり、骨盤からより離れた側の端部が停止部である。
【００７９】
ところで、骨格筋が大きな負荷を受けた状態で上記の動き（筋収縮）を行い続けると、骨格筋は硬化し（柔軟性が失われ）、筋力も低下してしまう。骨格筋の柔軟性の低下が進行すると、着用者の運動能力の低下を招く虞がある。骨格筋の柔軟性が低下した状態でスポーツ等の運動を行うと、所謂スポーツ障害が起こり易くなる。具体的に説明すると、骨格筋の柔軟性が低下した状態での運動においては、筋線維を覆う筋膜の炎症や肉離れ等、骨格筋自体の損傷が起こり易くなる。また、骨格筋の柔軟性の低下により、骨格筋の腱に掛かる牽引力（骨格筋を骨格筋が付着している骨から引き離そうとする力）が強くなる結果、腱炎や剥離骨折が起きる可能性もある。更に、骨格筋の柔軟性が低下した状態での運動では、骨格筋が付着した骨により構成される関節において骨位置がずれ易くなる結果、関節内での圧迫摩擦等による関節軟骨の損傷や関節包炎が起こり易くなる。
【００８０】
以上のような骨格筋の動きの特性を踏まえ、骨格筋の疲労の軽減やスポーツ障害の予防を目的としてコンディショニングウェアが着用される。その一方で、コンディショニングウェアの着用者がコンディショニングウェアを着用したままの状態で運動する場合、コンディショニングウェアの緊締力によってサポートされる筋肉は、当該緊締力を受けながらも前記着用者の目的とする運動に適合するように伸縮できることが求められる。
【００８１】
しかし、従来のコンディショニングウェアは、関節を確実に固定する（関節の、ある方向への動きを制限する）等の目的のために骨格筋全域に強い緊締力を付与するものであった。このため、骨格筋の膨張や伸縮が過度に制限され、前記骨格筋が本来の筋力を発揮することができなくなる虞があった。また、骨格筋の伸縮が過度に制限される結果、腕や脚の可動範囲が狭くなり、着用者に動き難さを感じさせてしまっていた。
【００８２】
一方、骨格筋に付与する緊締力が弱くしてしまうと、骨格筋の起始部、及び、起始部が付着する関節が固定され難くなり振れ易くなってしまう。そして、着用者が運動する間に筋肉の起始部が振れてしまうと、筋肉はその伸展方向に伸展し難くなり、更に筋肉の動きの支点が定まらなくなってしまう。このため、運動中の着用者の体勢（フォーム）が崩れ易くなり、崩れた体勢のまま運動を継続すると、筋肉の柔軟性が失われ（すなわち、筋肉が硬くなり）、筋肉疲労を起こし易くなってしまう。かかる場合には、上述のスポーツ障害を誘発する虞もある。
【００８３】
これに対し、本実施形態のコンディショニングウェア（すなわち、トップス１０及びパンツ２０）は、異なる強さの緊締力を骨格筋に付与する３種類の部分を備え、各部分の配置が前述のように設定されている。この結果、本実施形態のコンディショニングウェアが人体に着用された際、人体の骨格筋に付与される緊締力は、骨格筋の部位に応じて変わることになる。
【００８４】
具体的に説明すると、本実施形態では、コンディショニングウェアが人体に着用された際に、緊締力の強い部分が、人体の骨格筋の起始部及び停止部に対応する位置に位置して、強い緊締力を起始部及び停止部に付与する。一方、緊締力の弱い部分が、骨格筋の起始部と停止部との間の筋肉部分（所謂、筋腹）に対応する位置に位置して、相対的に弱い緊締力を筋腹に付与する。
【００８５】
このように、本実施形態では、骨格筋の起始部は強い緊締力が付与されるため、起始部は、より強い緊締力によって制動される（つまり、固定される）。これにより、骨格筋の動きの支点が定まる。この結果、骨格筋が正常な可動範囲内において動く（筋収縮する）ようになる。換言すると、骨格筋の動きの支点であり骨格筋の起始部が付着する関節の位置が定まることにより、関節を構成する骨に付着した骨格筋の停止部が適切に動く結果、停止部が付着した骨も正常に動くようになる。さらに、筋肉は、筋肉の起始部が固定されると、筋肉の伸展方向に伸展し易くなるという生理学的性質を有している。
【００８６】
以上の効果により、起始部に強い緊締力が付与された骨格筋は、本来の伸張力を発揮することが可能となる。骨格筋は本来の伸張力を発揮できれば効率良く筋収縮するため、骨格筋の疲労を軽減することが可能となる。他方、骨格筋の筋腹は相対的に弱い緊締力が付与されるため、筋腹を緊締する力が弱くなり、筋腹が緊締力に抗して膨張し易くなる。この結果、筋腹は効率良く筋力を生み出すことが可能になる。
【００８７】
また、骨格筋は、柔軟に伸縮して本来の筋力を発揮することが可能になる。このように、骨格筋が正常な可動範囲内で柔軟に伸縮することが可能になることにより、骨格筋の動きが着用者の目的とする運動に適合するようになり、以って、骨格筋の疲労の軽減やスポーツ障害の予防を図ることが可能になる。
【００８８】
以下、上記の内容について、トップス１０とパンツ２０とに分けて具体的に説明する。
【００８９】
＜＜トップス１０が付与する緊締力と骨格筋との関係＞＞
＜上腕二頭筋＞
図２０Ａは、上腕二頭筋の骨格筋図である。同図に示すように、上腕二頭筋短頭１５１は、起始部を肩甲骨烏口突起１３１に、停止部を橈骨粗面１３３に有する。また、上腕二頭筋長頭１５２は、起始部を肩甲骨関節上結節１３２に、停止部を橈骨粗面１３３に有する。  
図２０Ｂは、トップス１０とトップス１０を着用した人の上腕二頭筋１５１、１５２との位置関係を示す前方図である。同図に示すように、上腕二頭筋１５１、１５２の起始部において中緊締部の部分ｙ１１が位置し、この起始部は部分ｙ１１によって緊締力が付与される。また、上腕二頭筋１５１、１５２の停止部において強緊締力の部分ｘ１９ａが位置し、この停止部は部分ｘ１９ａによって緊締力が付与される。一方で、上腕二頭筋１５１、１５２の筋腹には弱緊締部の部分ｚ１６が位置し、この筋腹には部分ｚ１６によって緊締力が付与される。
【００９０】
以上のように、上腕二頭筋１５１、１５２のケースでは、起始部及び停止部に付与される緊締力は、筋腹に付与される緊締力よりも強くなっている。これにより、上腕二頭筋１５１、１５２が、起始部及び停止部において固定されつつ、正常な可動範囲において柔軟に伸縮するようになる結果、トップス１０を着用すれば肘関節の伸展動作及び屈曲動作にそれぞれ適合するように伸縮することができる。
【００９１】
＜円回内筋＞
図２１Ａは、円回内筋１５３の骨格筋図である。同図に示すように、円回内筋１５３は、起始部を上腕骨内顆に、停止部を上腕骨外側面に有する。  
図２１Ｂは、トップス１０とトップス１０を着用した人の円回内筋１５３との位置関係を示す前方図である。同図に示すように、円回内筋１５３の起始部において強緊締部の部分ｘ１９ｂが位置し、この起始部は部分ｘ１９ｂによって緊締力が付与される。また、円回内筋１５３の停止部において中緊締力の部分ｙ１３が位置し、円回内筋１５３の停止部は部分ｙ１３によって緊締力が付与される。一方で、円回内筋１５３の筋腹には強緊締部の部分ｘ１９ｅが位置し、円回内筋１５３の筋腹には部分ｘ１９ｅによって緊締力が付与される。
【００９２】
以上のように、円回内筋１５３のケースでは、起始部及び停止部に所定の緊締力が付与される。これにより、円回内筋１５３が起始部及び停止部において固定される結果、トップス１０を着用すれば肘関節の伸展動作及び屈曲動作を適切に行うことができる。
【００９３】
＜上腕三頭筋＞
図２２Ａは、上腕三頭筋１５４、１５５の骨格筋図である。同図に示すように、上腕三頭筋短頭１５４は、起始部を上腕骨後面上方１３５に、停止部を尺骨肘頭１３７に有する。また、上腕三頭筋長頭１５５は、起始部を肩甲骨関節下結節１３６に、停止部を尺骨肘頭１３７に有する。
【００９４】
図２２Ｂは、トップス１０とトップス１０を着用した人の上腕三頭筋１５４、１５５との位置関係を示す前方図である。同図に示すように、上腕三頭筋短頭１５４の起始部において中緊締部の部分ｙ１１が位置し、この起始部は部分ｙ１１によって緊締力が付与される。また、上腕三頭筋短頭１５４の停止部において強緊締力の部分ｘ１９ｄが位置し、上腕三頭筋短頭１５４の停止部は部分ｘ１９ｄによって緊締力が付与される。一方で、上腕三頭筋短頭１５４の筋腹には弱緊締部の部分ｚ１６が位置し、上腕三頭筋短頭１５４の筋腹には部分ｚ１６よって緊締力が付与される。また、同図に示すように、上腕三頭筋長頭１５５の起始部において強緊締部の部分ｘ１６が位置し、この起始部は部分ｘ１６によって緊締力が付与される。また、上腕三頭筋長頭１５５の停止部において強緊締力の部分ｘ１９ｄが位置し、上腕三頭筋長頭１５５の停止部は部分ｘ１９ｄによって緊締力が付与される。一方で、上腕三頭筋長頭１５５の筋腹には弱強緊締部の部分ｚ１５と中緊締部の部分ｙ１１が位置し、上腕三頭筋長頭１５５の筋腹には部分ｚ１５と部分ｙ１１によって緊締力が付与される。
【００９５】
以上のように、上腕三頭筋１５４、１５５のケースでは、起始部及び停止部に付与される緊締力は、筋腹に付与される緊締力よりも強くなっている。これにより、上腕三頭筋１５４、１５５が、起始部及び停止部において固定されつつ、正常な可動範囲において柔軟に伸縮するようになる結果、トップス１０を着用すれば肘関節の伸展動作及び屈曲動作にそれぞれ適合するように伸縮することができる。
【００９６】
＜手関節屈筋＞
図２３Ａは、手関節屈筋である尺側手根屈筋１５６と橈側手根屈筋１５７の骨格筋図である。同図に示すように、尺側手根屈筋１５６は、起始部を上腕骨内顆１３８に、停止部を第五中手骨１３９に有する。また、橈側手根屈筋１５７は、起始部を上腕骨内顆１３８に、停止部を第二中手骨１４０に有する。
【００９７】
図２３Ｂは、トップス１０とトップス１０を着用した人の尺側手根屈筋１５６及び橈側手根屈筋１５７との位置関係を示す前方図である。同図に示すように、尺側手根屈筋１５６の起始部において強緊締部の部分ｘ１９ｂが位置し、この起始部は部分ｘ１９ｂによって緊締力が付与される。一方で、尺側手根屈筋１５６の筋腹には中緊締部の部分ｙ１３が同じ高さに位置し、尺側手根屈筋１５６の筋腹には部分ｙ１３が伸縮することによって、側周方向には中程度の緊締力が付与される。
【００９８】
また、同図に示すように、橈側手根屈筋１５７の起始部において強緊締部の部分ｘ１９ｃが位置し、この起始部は部分ｘ１９ｃによって緊締力が付与される。一方で、橈側手根屈筋１５７の筋腹には中緊締部の部分ｙ１３が同じ高さに位置し、橈側手根屈筋１５７の筋腹には部分ｙ１３が伸縮することによって、側周方向には中程度の緊締力が付与される。
【００９９】
以上のように、尺側手根屈筋１５６及び橈側手根屈筋１５７のケースでは、起始部に付与される緊締力は、筋腹に付与される緊締力よりも強くなっている。これにより、尺側手根屈筋１５６及び橈側手根屈筋１５７が、起始部において固定されつつ、正常な可動範囲において柔軟に伸縮するようになる結果、トップス１０を着用すれば手関節の伸展動作及び屈曲動作にそれぞれ適合するように伸縮することができる。
【０１００】
＜手関節伸筋＞
図２４Ａは、手関節伸筋である尺側手根屈筋１５８と、長橈側手根屈筋１５９と、短橈側手根屈筋１６０との骨格筋図である。同図に示すように、尺側手根屈筋１５８は、起始部を上腕骨外顆１４１に、停止部を第五中手骨１４４に有する。また、長橈側手根屈筋１５９は、起始部を上腕骨外顆１４１に、停止部を第二中手骨１４２に有する。また、短橈側手根屈筋１６０は、起始部を上腕骨外顆１４１に、停止部を第三中手骨１４３に有する。
【０１０１】
図２４Ｂは、トップス１０と、トップス１０を着用した人の尺側手根屈筋１５８、長橈側手根屈筋１５９及び短橈側手根屈筋１６０との位置関係を示す前方図である。同図に示すように、尺側手根屈筋１５８の起始部において強緊締部の部分ｘ１９ａが位置し、この起始部は部分ｘ１９ａによって緊締力が付与される。一方で、尺側手根屈筋１５８の筋腹には中緊締部の部分ｙ１３が位置し、尺側手根屈筋１５８の筋腹には部分ｙ１３によって緊締力が付与される。
【０１０２】
また、同図に示すように、長橈側手根屈筋１５９の起始部において強緊締部の部分ｘ１９ａが位置し、この起始部は部分ｘ１９ａによって緊締力が付与される。一方で、長橈側手根屈筋１５９の筋腹には中緊締部の部分ｙ１３が位置し長橈側手根屈筋１５９の筋腹には部分ｙ１３によって緊締力が付与される。
【０１０３】
また、同図に示すように、短橈側手根屈筋１６０の起始部において強緊締部の部分ｘ１９ａが位置し、この起始部は部分ｘ１９ａによって緊締力が付与される。一方で、短橈側手根屈筋１６０の筋腹には中緊締部の部分ｙ１３が位置し短橈側手根屈筋１６０の筋腹には部分ｙ１３によって緊締力が付与される。
【０１０４】
以上のように、尺側手根屈筋１５８、長橈側手根屈筋１５９及び短橈側手根屈筋１６０のケースでは、起始部に付与される緊締力は、筋腹に付与される緊締力よりも強くなっている。これにより、尺側手根屈筋１５８、長橈側手根屈筋１５９及び短橈側手根屈筋１６０が、起始部において固定されつつ、正常な可動範囲において柔軟に伸縮するようになる結果、トップス１０を着用すれば手関節の伸展動作及び屈曲動作にそれぞれ適合するように伸縮することができる。
【０１０５】
＜手指屈筋＞
図２５Ａは、手指屈筋の浅指屈筋１６１の骨格筋図である。同図に示すように、浅指屈筋１６１は、起始部を上腕骨内顆１４５に、停止部を第二〜第五の中節骨１４６に有する。
【０１０６】
図２５Ｂは、トップス１０とトップス１０を着用した人の浅指屈筋１６１との位置関係を示す前方図である。同図に示すように、浅指屈筋１６１の起始部において強緊締部の部分ｘ１９ｂが位置し、この起始部は部分ｘ１９ｂによって緊締力が付与される。一方で、浅指屈筋１６１の筋腹には中緊締部の部分ｙ１３が同じ高さに位置し、浅指屈筋１６１の筋腹には部分ｙ１３が伸縮することによって、側周方向には中程度の緊締力が付与される。
【０１０７】
以上のように、浅指屈筋１６１のケースでは、起始部に付与される緊締力は、筋腹に付与される緊締力よりも強くなっている。これにより、浅指屈筋１６１が、起始部において固定されつつ、正常な可動範囲において柔軟に伸縮するようになる結果、トップス１０を着用すれば手関節の伸展動作及び屈曲動作にそれぞれ適合するように伸縮することができる。
【０１０８】
＜手指伸筋＞
図２６Ａは、手指伸筋の総指伸筋１６２の骨格筋図である。同図に示すように、総指伸筋１６２は、起始部を上腕骨外顆１４７に、停止部を第二〜第五の末節骨１４８に有する。
【０１０９】
図２６Ｂは、トップス１０と、トップス１０を着用した人の総指伸筋１６２との位置関係を示す前方図である。同図に示すように、総指伸筋１６２の起始部において強緊締部の部分ｘ１９ａが位置し、この起始部は部分ｘ１９ａによって緊締力が付与される。一方で、総指伸筋１６２の筋腹には中緊締部の部分ｙ１３が位置し、総指伸筋１６２の筋腹には部分ｙ１３によって緊締力が付与される。
【０１１０】
以上のように、総指伸筋１６２のケースでは、起始部に付与される緊締力は、筋腹に付与される緊締力よりも強くなっている。これにより、総指伸筋１６２が、起始部において固定されつつ、正常な可動範囲において柔軟に伸縮するようになる結果、トップス１０を着用すれば手関節の伸展動作及び屈曲動作にそれぞれ適合するように伸縮することができる。
【０１１１】
＜＜パンツ２０が付与する緊締力と骨格筋との関係＞＞
＜短内転筋及び長内転筋＞
図２７Ａは、短内転筋２５１及び長内転筋２５２の骨格筋図である。同図に示すように、短内転筋２５１は、起始部を恥骨２３２に、停止部を大腿骨粗線２３４に有する。また、長内転筋２５２は、起始部を恥骨２３１に、停止部を大腿骨粗面２３３に有する。
【０１１２】
図２７Ｂは、パンツ２０とパンツ２０を着用した人の短内転筋２５１及び長内転筋２５２との位置関係を示す前方図である。同図に示すように、短内転筋２５１の起始部において強緊締部の部分ｘ２９ａが位置し、この起始部は部分ｘ２９ａによって緊締力が付与される。また、短内転筋２５１の停止部において強緊締力の部分ｘ２９ｋが位置し、この停止部は部分ｘ２９ｋによって緊締力が付与される。一方で、短内転筋２５１の筋腹には弱緊締部の部分ｚ２２及び中緊締部の部分ｙ２３、ｙ２４が同じ高さに位置し、短内転筋２５１の筋腹には部分ｚ２２並びに部分ｙ２３及び部分ｙ２４が伸縮することによって、側周方向には中程度の又は弱い緊締力が付与される。
【０１１３】
また、同図に示すように、長内転筋２５２の起始部において強緊締部の部分ｘ２９ａが位置し、この起始部は部分ｘ２９ａによって緊締力が付与される。また、長内転筋２５２の停止部において強緊締力の部分ｘ２９ｋが位置し、この停止部は部分ｘ２９ｋによって緊締力が付与される。一方で、長内転筋２５２の筋腹には弱緊締部の部分ｚ２２及び中緊締部の部分ｙ２４が同じ高さに位置し、長内転筋２５２の筋腹には部分ｚ２２及びｙ２４が伸縮することによって、側周方向には中程度の又は弱い緊締力が付与される。
【０１１４】
以上のように、短内転筋２５１及び長内転筋２５２のケースでは、起始部及び停止部に付与される緊締力は、筋腹に付与される緊締力よりも強くなっている。これにより、短内転筋２５１及び長内転筋２５２が、起始部及び停止部において固定されつつ、正常な可動範囲において柔軟に伸縮するようになる結果、パンツ２０を着用すれば肘関節の伸展動作及び屈曲動作にそれぞれ適合するように伸縮することができる。
【０１１５】
＜大内転筋＞
図２８Ａは、大内転筋２５３の骨格筋図である。同図に示すように、大内転筋２５３は、起始部を恥骨２３５に、停止部を大腿骨粗線２３６に有する。  
図２８Ｂは、パンツ２０とパンツ２０を着用した人の大内転筋２５３との位置関係を示す前方図である。同図に示すように、大内転筋２５３の起始部において強緊締部の部分ｘ２９ａが位置し、この起始部は部分ｘ２９ａによって緊締力が付与される。また、大内転筋２５３の停止部において強緊締力の部分ｘ２９ｋが位置し、この停止部は部分ｘ２９ｋによって緊締力が付与される。一方で、大内転筋２５３の筋腹には弱緊締部の部分ｚ２２及び中緊締部の部分ｙ２４が同じ高さに位置し、大内転筋２５３の筋腹には部分ｚ２２及びｙ２４が伸縮することによって、側周方向には中程度の又は弱い緊締力が付与される。
【０１１６】
以上のように、大内転筋２５３のケースでは、起始部及び停止部に付与される緊締力は、筋腹に付与される緊締力よりも強くなっている。これにより、大内転筋２５３が、起始部及び停止部において固定されつつ、正常な可動範囲において柔軟に伸縮するようになる結果、パンツ２０を着用すれば肘関節の伸展動作及び屈曲動作にそれぞれ適合するように伸縮することができる。
【０１１７】
＜薄筋＞
図２９Ａは、薄筋２５４の骨格筋図である。同図に示すように、薄筋２５４は、起始部を恥骨２３８に、停止部を頸骨鵞足２３９に有する。  
図２９Ｂは、パンツ２０とパンツ２０を着用した人の薄筋２５４との位置関係を示す前方図である。同図に示すように、薄筋２５４の起始部において強緊締部の部分ｘ２９ａが位置し、この起始部は部分ｘ２９ａによって緊締力が付与される。また、薄筋２５４の停止部において強緊締力の部分ｘ２９ｊが位置し、この停止部は部分ｘ２９ｊによって緊締力が付与される。一方で、薄筋２５４の筋腹には弱緊締部の部分ｚ２２及び中緊締部の部分ｙ２３、ｙ２４が同じ高さに位置し、薄筋２５４の筋腹には部分ｚ２２並びに部分ｙ２３及び部分ｙ２４が伸縮することによって、側周方向には中程度の又は弱い緊締力が付与される。
【０１１８】
以上のように、薄筋２５４のケースでは、起始部及び停止部に付与される緊締力は、筋腹に付与される緊締力よりも強くなっている。これにより、薄筋２５４が、起始部及び停止部において固定されつつ、正常な可動範囲において柔軟に伸縮するようになる結果、パンツ２０を着用すれば肘関節の伸展動作及び屈曲動作にそれぞれ適合するように伸縮することができる。
【０１１９】
＜恥骨筋＞
図３０Ａは、恥骨筋２５５の骨格筋図である。同図に示すように、恥骨筋２５５は、起始部を恥骨２４０に、停止部を恥骨筋線２４１に有する。  
図３０Ｂは、パンツ２０とパンツ２０を着用した人の恥骨筋２５５との位置関係を示す前方図である。同図に示すように、恥骨筋２５５の起始部において強緊締部の部分ｘ２９ａが位置し、この起始部は部分ｘ２９ａによって緊締力が付与される。また、恥骨筋２５５の停止部において強緊締力の部分ｘ２９ｋが位置し、この停止部は部分ｘ２９ｋによって緊締力が付与される。一方で、恥骨筋２５５の筋腹には弱緊締部の部分ｚ２２及び中緊締部の部分ｙ２３、ｙ２４が同じ高さに位置し、恥骨筋２５５の筋腹には部分ｚ２２並びに部分ｙ２３及び部分ｙ２４が伸縮することによって、側周方向には中程度の又は弱い緊締力が付与される。
【０１２０】
以上のように、恥骨筋２５５のケースでは、起始部及び停止部に付与される緊締力は、筋腹に付与される緊締力よりも強くなっている。これにより、恥骨筋２５５が、起始部及び停止部において固定されつつ、正常な可動範囲において柔軟に伸縮するようになる結果、パンツ２０を着用すれば肘関節の伸展動作及び屈曲動作にそれぞれ適合するように伸縮することができる。
【０１２１】
＜内側広筋＞
図３１Ａは、内側広筋２５６の骨格筋図である。同図に示すように、内側広筋２５６は、起始部を大腿骨骨幹部前面の上方２４２に、停止部を脛骨結節２４３に有する。  
図３１Ｂは、パンツ２０とパンツ２０を着用した人の内側広筋２５６との位置関係を示す前方図である。同図に示すように、内側広筋２５６の起始部において強緊締部の部分ｘ２９ａが位置し、この起始部は部分ｘ２９ａによって緊締力が付与される。また、内側広筋２５６の停止部において強緊締力の部分ｘ２９ｋが位置し、この停止部は部分ｘ２９ｋによって緊締力が付与される。一方で、内側広筋２５６の筋腹には弱緊締部の部分ｚ２２及び中緊締部の部分ｙ２３、ｙ２４が同じ高さに位置し、内側広筋２５６の筋腹には部分ｚ２２並びに部分ｙ２３及び部分ｙ２４が伸縮することによって、側周方向には中程度の又は弱い緊締力が付与される。
【０１２２】
以上のように、内側広筋２５６のケースでは、起始部及び停止部に付与される緊締力は、筋腹に付与される緊締力よりも強くなっている。これにより、内側広筋２５６が、起始部及び停止部において固定されつつ、正常な可動範囲において柔軟に伸縮するようになる結果、パンツ２０を着用すれば肘関節の伸展動作及び屈曲動作にそれぞれ適合するように伸縮することができる。
【０１２３】
＝＝強緊締部、中緊締部、及び、弱緊締部の形成方法＝＝
本実施形態のトップス１０及びパンツ２０の各々は、既に説明したように、筋肉の各部位に付与する緊締力を当該各部位に応じて変えるために、互いに伸縮度合いが異なる３種類の部分（すなわち、強緊締部、中緊締部、及び、弱緊締部）を備えている。そして、本実施形態では、トップス１０及びパンツ２０の各々の生地の編組織を切替えることにより（つまり、編み分けを行うことにより）、前記トップス１０及びパンツ２０の各々に前記３種類の部分を形成している。ここで、生地の編組織を切替える（編み分けを行う）とは、生地内における編目の密度（度目密度）、地糸や挿入糸の種類、及び、各種類の糸の存在比率を変えることである。
【０１２４】
以下、本実施形態のトップス１０及びパンツ２０の各々における、前記３種類の部分の形成方法について、図３２Ａ〜図３２Ｃを参照しながら説明する。図３２Ａは、強緊締部の編組織を示した図である。図３２Ｂは、中緊締部の編組織を示した図である。図３２Ｃは、弱緊締部の編組織を示した図である。なお、図３２Ａ〜図３２Ｃには、それぞれ、矢印にて、各編組織の縦方向（図中、コース方向）及び横方向（図中、ウェール方向）を示している。
【０１２５】
本実施形態では、トップス１０及びパンツ２０の生地が、無縫製型横編機によって製造される。そして、当該無縫製型横編機による生地の製造工程において、３種類の編み分けを行うことにより、完成した生地に、互いに伸縮度合いが異なる３種類の部分が形成される。本実施形態では、生地内の度目密度を３段階に変化させるとともに、編組織を作るために使用されるナイロン系繊維、及び、ポリウレタン系繊維（通称、スパンデックス）の各々の存在比率を３段階に変化させている。
【０１２６】
また、本実施形態では、生地内の度目密度を変化させる方法として、編組織を形成する際の針抜きを行う回数を変化させている。編組織を形成する際に針抜きを全く行わない場合には、前記編組織の縦方向の各部（コース）に連続した編目（ウェール）が並ぶ。一方、針抜きを行った場合、当該針抜きを行った箇所には編目が編成されず、編目の並びが不連続になる。そして、各コースにおいてウェールが編成されない箇所が多い部分であるほど（すなわち、各コースを編成する際の針抜き回数が多い部分であるほど）、生地の収縮性が高くなる。したがって、本実施形態では、図３２Ａ〜図３２Ｃに示すように、各コースを編成する際の針抜き回数を、トップス１０及びパンツ２０の生地中、強緊締部に相当する部分の編組織において最も多くし、中緊締部に相当する部分の編組織において２番目に多くし、弱緊締部に相当する部分の編組織において最も少なくする（本実施形態では、弱緊締部に相当する部分の編組織については針抜きを行わない）。
【０１２７】
また、ナイロン系繊維及びポリウレタン系繊維の各々の存在比率については、より高弾性なポリウレタン系繊維の存在比率が高い部分ほど、生地の伸張抵抗が高くなる。したがって、本実施形態では、ポリウレタン系繊維の存在比率を、強緊締部に相当する部分の編組織において最も高くし、中緊締部に相当する部分の編組織において２番目に高くし、弱緊締部に相当する部分の編組織において最も低くする。
【０１２８】
以上のような編分けにより、トップス１０及びパンツ２０の各々の生地に、互いに伸縮度合いが異なる３種類の部分が形成されることになる。この結果、完成品であるトップス１０やパンツ２０には、強緊締部、中緊締部、及び、弱緊締部が備えられることになる。
【０１２９】
ところで、トップス１０やパンツ２０に、強緊締部、中緊締部、及び、弱緊締部を備える方法としては、上記の方法以外に、例えば、同一の編組織からなる生地（すなわち、編み分けを行っていない生地であり、以下、無変調生地）の裏側に、強緊締部、中緊締部、及び、弱緊締部の配置に応じて、他の生地を縫い付ける方法（所謂、裏打ち縫合）も考えられる。つまり、無変調生地の、強緊締部に相当する部分の裏側には、伸縮度合いが比較的小さい生地を縫い付け、前記無変調生地の、中緊締部に相当する部分の裏側には、伸縮度合いが比較的大きい生地を縫い付ける方法であってもよい。
【０１３０】
但し、無変調生地に他の生地を縫い付けて製造されたトップス１０やパンツ２０を着用すると、無変調生地の裏側に生地が重ねられた分、着用者の皮膚に対する着圧が強くなり、着用者に圧迫感を与えてしまう。また、無変調生地の裏側に生地を縫い付けられることにより形成される縫い目が着用者の皮膚に押し付けられる結果、当該皮膚に前記縫い目の痕が付き、前記着用者に不快感を与えてしまう。
【０１３１】
これに対し、本実施形態のトップス１０やパンツ２０では、強緊締部、中緊締部、及び、弱緊締部が編み分けによって同一の生地に形成されているため、生地の縫い合わせによって生じる着圧の上昇が回避される。また、前述したように、本実施形態のトップス１０やパンツ２０の各々の生地は無縫製型横編機により製造されるため、裏打ち縫合の場合と比較して、縫い目の数が格段に少なくなる。このため、トップス１０やパンツ２０が着用された際に、着用者の皮膚に縫い目の痕が付くのを抑制することが可能になる。したがって、本実施形態のトップス１０やパンツ２０は、着用された際に適宜な着用感を着用者に与え、長時間の着用に適したコンディショニングウェアである。
【０１３２】
＝＝その他の実施例＝＝
以上、上記の実施形態に基づきトップス１０及びパンツ２０について説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【０１３３】
例えば、本発明の実施形態は、上記の実施形態における形状（トップス及びパンツの外形形状や、強緊締部、中緊締部、及び、弱緊締部の形状や配置等）や生地の材質に限定されるものではない。
【０１３４】
また、例えば、肘関節を中心に肘を保護する肘サポーターや、膝関節を中心に膝を保護する膝サポーターであってもよい。
【０１３５】
また、上記の実施形態では、人体に着用されることにより、主として、人体の骨格筋に緊締力を付与するコンディショニングウェアについて説明した。但し、本発明のコンディショニングウェアは、人体に着用された際、人体の、骨格筋以外の筋肉（例えば、表皮等に付着した筋肉であり、以下、非骨格筋と呼ぶ）に緊締力を付与することとしてもよい。かかるコンディショニングウェアにおいて、コンディショニングウェアの第一パーツが、前記非骨格筋の起始部に対応する位置に位置して起始部に緊締力を付与し、前記コンディショニングウェアの第二パーツが、前記第一パーツにより緊締力が付与される前記非骨格筋の筋腹に対応する位置に位置して、前記第一パーツが前記起始部に付与する緊締力よりも小さい緊締力を前記筋腹に付与することとしてもよい。
【符号の説明】
【０１３６】
１０  トップス
１１  胴部
１２  腕部
２０  パンツ
２１  腰部
２２  脚部
１１１  上腕骨
１１１ａ  上腕骨内顆
１１２  橈骨
１１３  尺骨
１１３ａ  尺骨内側面
１２１  内側側副靭帯
１２２  橈骨輪状靭帯
１３１  肩甲骨烏口突起
１３２  肩甲骨関節上結節
１３３  橈骨粗面
１３５  上腕骨後面上方
１３６  肩甲骨関節下結節
１３７  尺骨肘頭
１５１  上腕二頭筋短頭
１５２  上腕二頭筋長頭
１５３  円回内筋
１５４  上腕三頭筋短頭
１５５  上腕三頭筋長頭
１５６  尺側手根屈筋
１５７  橈側手根屈筋
１５８  尺側手根屈筋
１５９  長橈側手根屈筋
１６０  短橈側手根屈筋
１６１  浅指屈筋
１６２  総指伸筋
２１１  内側側副靭帯
２１２  外側側副靭帯
２１３  前十字靭帯
２１３  恥骨結合に対応する部分
２１４  足関節部内顆
２２１  大腿骨
２２１ａ  大腿骨内顆上方
２２１ｂ  大腿骨外顆上方
２２１ｃ  大腿骨外顆の内側面
２２２  膝蓋骨
２２３  脛骨
２２３ａ  脛骨内顆下方
２２３ｃ  脛骨前方顆間区の内方
２２４  腓骨
２２４ａ  腓骨頭
２２５  膝窩
２３１  恥骨
２３２  恥骨
２３３  大腿骨粗面
２３４  大腿骨粗線
２３５  恥骨
２３６  大腿骨粗線
２３８  恥骨
２３９  頸骨鵞足
２４０  恥骨
２４１  恥骨筋線
２４２  大腿骨骨幹部前面の上方
２４３  脛骨結節
２５１  短内転筋
２５２  長内転筋
２５３  大内転筋
２５４  薄筋
２５５  恥骨筋
２５６  内側広筋
【図９Ａ】
2010275644.tif 000003
【図９Ｂ】
2010275644.tif 000004
【図１】
2010275644.tif 000005
【図２】
2010275644.tif 000006
【図３】
2010275644.tif 000007
【図４】
2010275644.tif 000008
【図５Ａ】
2010275644.tif 000009
【図５Ｂ】
2010275644.tif 000010
【図６Ａ】
2010275644.tif 000011
【図６Ｂ】
2010275644.tif 000012
【図７Ａ】
2010275644.tif 000013
【図７Ｂ】
2010275644.tif 000014
【図７Ｃ】
2010275644.tif 000015
【図８Ａ】
2010275644.tif 000016
【図８Ｂ】
2010275644.tif 000017
【図１０】
2010275644.tif 000018
【図１１Ａ】
2010275644.tif 000019
【図１１Ｂ】
2010275644.tif 000020
【図１２】
2010275644.tif 000021
【図１３】
2010275644.tif 000022
【図１４】
2010275644.tif 000023
【図１５Ａ】
2010275644.tif 000024
【図１５Ｂ】
2010275644.tif 000025
【図１６】
2010275644.tif 000026
【図１７】
2010275644.tif 000027
【図１８Ａ】
2010275644.tif 000028
【図１８Ｂ】
2010275644.tif 000029
【図１９Ａ】
2010275644.tif 000030
【図１９Ｂ】
2010275644.tif 000031
【図１９Ｃ】
2010275644.tif 000032
【図２０Ａ】
2010275644.tif 000033
【図２０Ｂ】
2010275644.tif 000034
【図２１Ａ】
2010275644.tif 000035
【図２１Ｂ】
2010275644.tif 000036
【図２２Ａ】
2010275644.tif 000037
【図２２Ｂ】
2010275644.tif 000038
【図２３Ａ】
2010275644.tif 000039
【図２３Ｂ】
2010275644.tif 000040
【図２４Ａ】
2010275644.tif 000041
【図２４Ｂ】
2010275644.tif 000042
【図２５Ａ】
2010275644.tif 000043
【図２５Ｂ】
2010275644.tif 000044
【図２６Ａ】
2010275644.tif 000045
【図２６Ｂ】
2010275644.tif 000046
【図２７Ａ】
2010275644.tif 000047
【図２７Ｂ】
2010275644.tif 000048
【図２８Ａ】
2010275644.tif 000049
【図２８Ｂ】
2010275644.tif 000050
【図２９Ａ】
2010275644.tif 000051
【図２９Ｂ】
2010275644.tif 000052
【図３０Ａ】
2010275644.tif 000053
【図３０Ｂ】
2010275644.tif 000054
【図３１Ａ】
2010275644.tif 000055
【図３１Ｂ】
2010275644.tif 000056
【図３２Ａ】
2010275644.tif 000057
【図３２Ｂ】
2010275644.tif 000058
【図３２Ｃ】
2010275644.tif 000059